(57)【要約】【課題】本発明は、外光を反射することで情報が視認可能な表示部を有する携帯用表示機器において、暗所での表示情報の視認が容易でかつ携帯用に適した表示機器を提供することを課題とする。【解決手段】外光を反射することで情報が視認可能な表示部を有する携帯用表示機器であって、前記表示部の表示面に外部から光を照射可能な照明部を備え、前記照明部が有機ＥＬパネルおよび支持部からなり、前記照明部と前記表示部とが結合部を介して結合していることを特徴とする携帯用表示機器。【選択図】図１
2014160137.tif 000002
【特許請求の範囲】
【請求項１】
外光を反射することで情報が視認可能な表示部を有する携帯用表示機器であって、前記表示部の表示面に外部から光を照射可能な照明部を備え、前記照明部が有機ＥＬパネルおよび支持部からなり、前記照明部と前記表示部とが結合部を介して結合していることを特徴とする携帯用表示機器。
【請求項２】
前記照明部が前記表示部の一面の少なくとも一部を覆うように収納可能であることを特徴とする請求項１に記載の携帯型表示機器。
【請求項３】
前記照明部が前記表示部と回動可能に結合している請求項１又は２に記載の携帯用表示機器。 
【請求項４】
前記照明部の一部にさらに回動可能部を有している請求項３に記載の携帯用表示機器。
【請求項５】
前記有機ＥＬパネルが前記表示部より電力の供給を受ける請求項１に記載の携帯用表示機器。
【請求項６】
前記結合部がヒンジである請求項３に記載の携帯用表示機器。
【請求項７】
前記照明部が前記表示部に対し脱着可能である請求項１に記載の携帯用表示機器。
【発明の詳細な説明】
【技術分野】
【０００１】
本発明は、有機ＥＬ照明を備えた携帯用表示機器に関する。
【背景技術】
【０００２】
携帯電話、携帯型コンピュータ、携帯型ゲーム機をはじめとして、使用者が携帯して持ち歩くような各種の携帯用表示機器が広く使われている。こういった携帯用表示機器には自らが発光機能を備え、その発光機能の光によって表示された情報が視認されるものと、自らは発光機能を持たず外光を反射することで表示された情報が視認されるものに分けられる。前者は例えばバックライト付きの液晶ディスプレイや有機ＥＬディスプレイなどで表示する機器であり、後者はバックライトの無い液晶や電子ペーパなどで表示する機器である。
【０００３】
前者は視認性に優れ、暗い場所でも視認できる。一方後者は低コストであり消費電力も少ない傾向がある。また、外光を用いた自然な視認であるため使用者が長時間画面を見ても疲れにくい。
発光機能を持たない表示機器の代表的なものとして電子ペーパが挙げられるが、これには電気泳動を用いたもの（特許文献１）やコレステリック液晶を用いたもの（特許文献２）等が知られている。外光の反射による表示は感覚的に紙に近く使用者が疲れにくいため、長時間表示を見続ける電子ブック等の用途に用いられている。
【０００４】
発光機能を持たない表示機器は、外光の反射によって視認されるため、外光の少ない暗い場所で視認できないという問題がある。場所によらない使用が求められる携帯用表示機器であるにもかかわらず、暗い場所で使用できないということは使用者に大きな不便をもたらす。夜間の駅のホーム、バス停、照明を消した会議室内、劇場、映画館、美術館、博物館、消灯後のベッド内等において携帯用表示機器を使おうとしても、従来は困難であった。
【０００５】
こういった問題を解決するため、特許文献３には表示装置の側面に線状光源を備えて表示面を照らす方法が開示されている。
【先行技術文献】
【特許文献】
【０００６】
【特許文献１】特表２００２−５２０６５５号公報
【特許文献２】国際公開ＷＯ００６/０８７８１４号公報
【特許文献３】特開２００７−２５７９３２号公報
【発明の概要】
【発明が解決しようとする課題】
【０００７】
しかしながら、使用者は表示面を外部から見るのであるから、使用者が表示された情報を視認するには光が表示面に当たって反射され、表示内容に応じた分布を持つ反射光が外部に向かう必要がある。側面から光源で照らした場合、光の大部分は表示面に当たらず、かつ外部にも向かわない。従って光源自体が明るくても使用者から見た表示面は暗く、かつコントラストが低いために表示面の正確な視認が困難である。表示面上に反射ドットを持つ導光板を設けて光を表示面側に向かわせる方法もあるが、反射ドットが不透明であるために外部からの表示面の視認性が劣化してしまうという問題が起こる。
【０００８】
むろん懐中電灯などの外部光源を携帯用表示機器と別に所持し、表示面外部から光を照
射すれば視認することは可能である。しかし、懐中電灯などの外部光源を常に携帯することは非常に煩わしく、さらに視認時に携帯用表示機器と外部光源の両方を同時に保持しなければならないという不便さがある。
【課題を解決するための手段】
【０００９】
上記課題を解決するため、本発明の携帯用表示機器は、外光を反射することで情報が視認可能な表示部を有する携帯用表示機器であって、前記表示部の表示面に外部から光を照射可能な照明部を備え、前記照明部が有機ＥＬパネルおよび支持部からなり、前記照明部と前記表示部とが結合部を介して結合していることを特徴とする。
また、前記照明部が前記表示部の一面の少なくとも一部を覆うように収納可能であってもよい。
【００１０】
また、前記照明部が前記表示部と回動可能に結合してもよい。
また、前記照明部の一部にさらに回動可能部を有してもよい。
また、前記有機ＥＬパネルが前記表示部より電力の供給を受けてもよい。
また、前記結合部がヒンジであってもよい。
さらに、前記照明部が前記表示部に対し脱着自在であってもよい。
【発明の効果】
【００１１】
本発明によれば、外光を反射することで情報が視認可能な表示部を有する携帯用表示機器において、暗い場所でも表示された情報を容易に視認可能で、かつ携帯に便利な軽量かつコンパクトな携帯用表示機器を得ることができる。
【図面の簡単な説明】
【００１２】
【図１】本発明の実施の形態１による携帯用表示機器を示す側面図である。
【図２】本発明の携帯用表示機器の結合部の一部を回動可能にした状態を示す側面図である。
【図３】本発明の実施の形態２による携帯用表示機器の非使用状態及び使用状態を示す上面図である。
【図４】実施例１及び実施例２に係る有機ＥＬパネルの斜視図である。
【図５】実施例１及び実施例２に係る有機ＥＬパネルの断面図である。
【発明を実施するための形態】
【００１３】
以下、図面を参照し、本発明の実施の形態について、実施例１及び実施例２に基づき詳細に説明する。なお、本発明は以下に説明する内容に限定されるものではなく、その要旨を変更しない範囲において任意に変更して実施することが可能である。また、各実施例の説明に用いる図面は、いずれも本発明による携帯用表示機器を模式的に示すものであって、理解を深めるべく部分的な強調、拡大、縮小、または省略などを行っており、各構成部材の縮尺や形状等を正確に表すものとはなっていない場合がある。更に、各実施例で用いる様々な数値は、いずれも一例を示すものであり、必要に応じて様々に変更することが可能である。
【実施例】
【００１４】
（実施例１）
図１は実施例１における携帯用表示機器２０を側面から見た状態を示している。実施例１では、表示部２１の上部に有機ＥＬパネル２３及び支持部２４からなる照明部２２が、結合部２５を介して表示部２１に結合している。有機ＥＬパネル２３はパネル内に形成された有機ＥＬ発光素子によって発光するものである。ここで、有機ＥＬパネル２３自体が、支持部２４を兼ねていてもよい。その場合は、有機ＥＬパネル２３が照明部２２となり、結合部２５を介して直接表示部２１に結合される。
【００１５】
携帯用表示機器２０は、使用者が携帯して持ち歩くことが可能な機器であり、かつ外光を反射することで視認されるものである。電子ペーパやバックライトの無い液晶ディスプレイが代表的なものとして挙げられる。
有機ＥＬは有機物質からなる発光材料に電圧を印可してエネルギーを付与し、励起された当該発光材料が元の状態に戻る際に、光としてエネルギーを放出する現象のことをいう。有機ＥＬ技術を用いた発光素子である有機ＥＬ発光素子には、有機物質からなる発光材料を含む有機層と、当該有機層を挟むように対向した２つの電極（陰極及び陽極）と、を基板上に順次積層した構造が一般的に用いられている。
【００１６】
有機ＥＬ発光素子を有する有機ＥＬパネル２３は、白熱灯や蛍光灯といった従来の照明と比較し、極めて薄く、かつ軽量の面発光体であるという特徴を持ち、エネルギー効率も良好である。
照明部２２は支持部２４と有機ＥＬパネル２３よりなり、支持部２４は板状であり、ヒンジである結合部２５によって回動可能に表示部２１に結合している。有機ＥＬパネル２３は支持部２４に固定されている。固定は接着剤、粘着テープ、板バネ、マグネット等によって行うことができる。また、支持部２４に枠状の挿入部を形成して有機ＥＬパネル２３を挿入してもよい。特に板バネやマグネット等によって有機ＥＬパネル２３が支持部２４に着脱可能に固定されていると、有機ＥＬパネル２３が劣化した場合に交換が可能となり好ましい。
【００１７】
照明部２２は、携帯用表示機器２０を使用しないときには結合部２５により回動され、表示部２１の表示面２６を覆うように収納される。これによって支持部２４を表示部２１の表示面２６の保護板とすることができる。支持部２４は表示部２１に対して回動可能であるので、照明部２２の表示面２６に対する照射角度を、使用者が好適に感じる位置に調整することができる。
【００１８】
支持部２４は軽量かつ薄いことが好ましく、アルミニウム合金やマグネシウム合金といった軽量の金属や、ポリプロピレン、ポリスチレン、ポリカーボネート、アクリル、ＡＢＳといった樹脂によって形成される。金属と樹脂が複合されたものであってもよい。
携帯用表示機器に照明を結合する場合、携帯性を低下させないように薄型かつ軽量であること、及び近距離からであっても表示面を均一に照らせることが求められる。薄く、軽量、かつ面発光照明である有機ＥＬパネルはこの目的に最適な光源であり、本実施の形態のような構成を用いることで携帯用表示機器全体の大きさや重量に大きな影響を与えることがなく、さらに表示面を均一に照らすことが可能である。
【００１９】
有機ＥＬパネル２３への電力や制御信号の供給は、支持部２４に配されたＦＰＣ（フレキシブルプリンテッドサーキット）を介して表示部２１から行うことができる。支持部２４の外部に配線を設けて、表示部２１のＵＳＢ端子等を介して電力や制御信号の供給を受けることも可能である。有機ＥＬパネル２３は使用電力が比較的少ないので、表示部２１を電池で駆動させる場合でも、表示部２１の使用可能時間に与える影響が小さい。
【００２０】
表示部２１に照明の制御プログラムを組み込んで置き、有機ＥＬパネル２３の点灯、消灯、輝度調整などの制御を使用者が表示面２６から行えるようにすることができる。支持部２４ないし表示部２１に有機ＥＬパネル２３を制御するスイッチを設けることも可能である。
図２は、図１の照明部２２の一部をさらに回動可能とした状態の側面図を示したものである。具体的には、支持部２４を、回動可能部によって結合された支持部２４ａと支持部２４ｂとすることで、有機ＥＬパネル２３の照射位置、照射角度の調整をより詳細に行うことが可能となる。
照明部２２を表示部２１に対し着脱可能とし、照明が不要な場合は照明部２２を取り外して軽量化することができるようにしてもよい。
（実施例２）
【００２１】
実施例２では支持部３４が棒状であり、細長い板状の有機ＥＬパネル３３は支持部３４の先端に回動可能に取り付けられる。図３（ａ）は照明の非使用時の状態を、図３（ｂ）は照明の使用時の状態を示している。照明の非使用時には支持部３４及び有機ＥＬパネル３３からなる照明部３２は、表示部３１の側面の一部を覆うように収納される。
表示部３１と支持部３４は結合部３５を介して回動可能に結合しており、支持部３４と有機ＥＬパネル３３がさらに回動可能に結合している。このことによって、使用時には有機ＥＬパネル３３を、表示面３６の上方に移動させて表示面３６を照明することができる。
＜有機ＥＬパネル＞
【００２２】
次に、有機ＥＬパネルについて、図４及び図５を参照しつつ詳細に説明する。
ここで、図４は実施例１及び２に係る有機ＥＬパネルの斜視図であり、図５は実施例１及び２に係る有機ＥＬパネルの断面図である。なお、図４及び図５における有機ＥＬパネル３は、図１、２における有機ＥＬパネル２３、図３（ａ）、（ｂ）における有機ＥＬパネル３３に相当する。
【００２３】
図４に示すように、有機ＥＬパネル３は、透明基板１１、有機ＥＬ発光素子１２、光拡散部１３、及び封止部１４から構成されている。また、有機ＥＬ発光素子１２は、発光色が赤色である有機ＥＬ発光素子１２Ｒ、発光色が緑色である有機ＥＬ発光素子１２Ｇ、発光色が青色である有機ＥＬ発光素子１２Ｂの３種類に分類される。
実施例１及び２における透明基板１１は、ガラス製の基板である。なお、透明基板１１は、可視光を透過する特性を有する基板であればよく、例えば、ポリエステル、ポリメタクリレート、ポリカーボネート、ポリイミド、ポリエチレンテレフタレート、ポリエチレンナフタレート又はポリスルホン等の透明な樹脂；セラミックスなどから構成されてもよい。
【００２４】
より具体的な有機ＥＬパネル３の構成として、透明基板１１の有機ＥＬ発光素子形成面１１ａ上には、有機ＥＬ発光素子１２Ｒ、有機ＥＬ発光素子１２Ｇ、及び有機ＥＬ発光素子１２Ｂが各々複数個ずつ、隣接する素子同士が互いに離間してストライプ状に並設されている。これらの有機ＥＬ発光素子は、有機ＥＬ発光素子１２Ｒ、１２Ｇ、１２Ｂの順序で繰り返して並置されている。このような構成により、有機ＥＬ発光素子１２Ｒから放射される赤色の光、有機ＥＬ発光素子１２Ｇから放射される緑色の光、及び有機ＥＬ発光素子１２Ｂから放射される青色の光を合成し、有機ＥＬパネル３から全体的に均一色の合成光を放射することになる。なお、各色の光を放射する有機ＥＬ発光素子１２Ｒ、１２Ｇ、１２Ｂのそれぞれの個数は１個ずつであってもよいが、発光面の拡大化及び有機ＥＬパネル３の高輝度化及び良好な光の混合を図る場合には、多くの有機ＥＬ発光素子１２Ｒ、１２Ｇ、１２Ｂを並置することが好ましい。
【００２５】
図５に示すように、発光色が赤色である有機ＥＬ発光素子１２Ｒは、透明基板１１上に形成された陽極（透明電極）１５Ｒ、陽極１５Ｒ上に形成された有機層１６Ｒ、及び有機層１６Ｒ上に形成された陰極（金属電極）１７Ｒから構成されている。同様に、発光色が緑色である有機ＥＬ発光素子１２Ｇは、透明基板１１上に形成された陽極（透明電極）１５Ｇ、陽極１５Ｇ上に形成された有機層１６Ｇ、有機層１６Ｇ上に形成された陰極（金属電極）１７Ｇから構成され、発光色が青色である有機ＥＬ発光素子１２Ｂは、透明基板１１上に形成された陽極（透明電極）１５Ｂ、陽極１５Ｂ上に形成された有機層１６Ｂ、有機層１６Ｂ上に形成された陰極（金属電極）１７Ｂから構成されている。なお、陽極１５
Ｒ、１５Ｇ、１５Ｂのいずれかを指定しない場合には単に陽極１５と称し、有機層１６Ｒ、１６Ｇ、１６Ｂのいずれかを指定しない場合には単に有機層１６と称し、陰極１７Ｒ、１７Ｇ、１７Ｂのいずれかを指定しない場合には単に陰極１７と称する場合がある。すなわち、透明基板１１上には、各有機ＥＬ発光素子１２を構成する陽極１５、有機層１６及び陰極１７が順次積層されている。
【００２６】
また、陽極１５、有機層１６及び陰極１７の平面形状（すなわち、面積）は略同一である。従って、陽極１５、有機層１６及び陰極１７の側面は同一平面であり、有機ＥＬ発光素子１２の形状は、直方体である。
実施例１及び２における陽極１５は、インジウム錫酸化物（ＩＴＯ）から構成されている。このため、陽極１５は、有機層１６に正孔を注入する機能を有し、且つ有機層１６からの発光に対して透光性を備えている。すなわち、陽極１５は、透明電極として機能する。陽極１５の形成は、スパッタリング法や真空蒸着法等により行われる。陽極１５の表面には、陽極１５上の不純物除去や、イオン化ポテンシャルの調整による正孔注入性向上の点から、紫外線照射やオゾン処理をしてから有機層１６を形成することが好ましい。
【００２７】
なお、陽極１５は、インジウム錫酸化物から構成されていることに限定されることなく、有機層１６に正孔を注入する機能を有し、且つ有機層１６からの発光に対して透光性を備えていれば、例えば、インジウム亜鉛酸化物等の金属酸化物、アルミニウム、金、銀、ニッケル、パラジウム、白金等の金属、ヨウ化銅等のハロゲン化金属、カーボンブラック、ポリ（３−メチルチオフェン）、ポリピロール等の導電性高分子等から構成されてもよい。また、陽極１５は、有機ＥＬ発光素子１２Ｒ、１２Ｇ、１２Ｂ毎に異なる材料から構成されてもよい。
【００２８】
図５において図示されていないが、有機ＥＬ発光素子は、更に正孔注入層、正孔輸送層、電子輸送層及び／又は電子注入層を有してもよい。その場合、陽極１５側から正孔注入層、正孔輸送層、発光層、電子輸送層及び電子注入層の順に積層された構造を有していることが好ましい。なお、このような積層構造の場合、有機層１６は正孔注入層、正孔輸送層、発光層、電子輸送層及び電子注入層から構成されてもよく、これらの一部の層から構成されてもよい。すなわち、各層の材料に有機材料を用いるか否かによって、有機層１６を構成する層が異なってくる。
【００２９】
上述した正孔注入層及び正孔輸送層は、正孔輸送性の材料から形成されることが好ましく、芳香族アミン誘導体、フタロシアニン誘導体、ポルフィリン誘導体、オリゴチオフェン誘導体、ポリチオフェン誘導体、ベンジルフェニル誘導体、フルオレン基で３級アミンを連結した化合物、ヒドラゾン誘導体、シラザン誘導体、シラナミン誘導体、ホスファミン誘導体、キナクリドン誘導体、ポリアニリン誘導体、ポリピロール誘導体、ポリフェニレンビニレン誘導体、ポリチエニレンビニレン誘導体、ポリキノリン誘導体、ポリキノキサリン誘導体、カーボン等が挙げられる。また、電子輸送層は、電子輸送性の材料から形成されることが好ましく、例えば、８−ヒドロキシキノリンのアルミニウム錯体などの金属錯体、１０−ヒドロキシベンゾ［ｈ］キノリンの金属錯体、オキサジアゾール誘導体、ジスチリルビフェニル誘導体、シロール誘導体、３−ヒドロキシフラボン金属錯体、５−ヒドロキシフラボン金属錯体、ベンズオキサゾール金属錯体、ベンゾチアゾール金属錯体、トリスベンズイミダゾリルベンゼン、キノキサリン化合物、フェナントロリン誘導体、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛などが挙げられる。電子注入層は、仕事関数の低い金属からなることが好ましい。例としては、ナトリウムやセシウム等のアルカリ金属、バリウムやカルシウムなどのアルカリ土類金属などが挙げられる。
【００３０】
上述した発光層に用いられる発光材料としては、以下のものが挙げられる。赤色発光を
与える発光材料としては、例えば、ＤＣＭ（４−（ｄｉｃｙａｎｏｍｅｔｈｙｌｅｎｅ）−２−ｍｅｔｈｙｌ−６−（ｐ−ｄｉｍｅｔｈｙｌａｍｉｎｏｓｔｙｒｙｌ）−４Ｈ−ｐｙｒａｎ）系化合物、ベンゾピラン誘導体、ローダミン誘導体、ベンゾチオキサンテン誘導体、アザベンゾチオキサンテン等が挙げられる。また、緑色発光を与える発光材料としては、例えば、キナクリドン誘導体、クマリン誘導体、Ａｌ（Ｃ９Ｈ６ＮＯ）３等のアルミニウム錯体等が挙げられる。更に、青色発光を与える発光材料としては、例えば、ナフタレン、ペリレン、ピレン、アントラセン、クマリン、ｐ−ビス（２−フェニルエテニル）ベンゼン及びそれらの誘導体等が挙げられる。なお、上述した発光材料は、いずれか１種類のみを用いてもよく、２種類以上を任意の組み合わせ及び比率で併用してもよい。
【００３１】
実施例１及び２においては、陰極１７は、透光性を有する必要がないため、アルミニウムから構成されている。すなわち、陰極１７は金属電極である。陰極１７の形成は、スパッタリング法や真空蒸着法等により行われる。なお、陰極１７は、アルミニウムに限定されること無く、例えば、スズ、マグネシウム、インジウム、カルシウム、銀等の金属又はそれらの合金等が用いられる。具体例としては、マグネシウム−銀合金、マグネシウム−インジウム合金、アルミニウム−リチウム合金等の低仕事関数の合金電極等が挙げられる。また、陰極１７は、有機ＥＬ発光素子１２Ｒ、１２Ｂ、１２Ｇ毎に異なる材料から構成されてもよい。
【００３２】
図４及び図５に示すように、光拡散部１３は、透明基板１１の有機ＥＬ発光素子非形成面１１ｂの全面を覆うように形成されている。光拡散部１３は、有機ＥＬ発光素子１２から放射される各色の光を拡散させ、均一に混色させる効果がある。このような効果により、ガラス基板である透明基板１１と光拡散部１３とからなる部材は、全体が単一の光源として機能する。実施例１及び２において、光拡散部１３は透明樹脂に微粒子を分散したフィルムから構成されている。なお、光拡散部１３は、このフィルムに限定されることなく、例えば、基板表面を粗面化することによっても形成できる。
【００３３】
上述したように、透明基板１１は各有機ＥＬ発光素子１２から放射された各色の光を透過する特性を備えている。このため、図５に示すように、各有機ＥＬ発光素子１２から放射された光は、透明基板１１及び光拡散部１３を透過して、有機ＥＬパネル３から外部へ放射される。
図４及び図５に示すように、封止部１４は、各有機ＥＬ発光素子１２を覆い、各有機ＥＬ発光素子１２の発光材料が大気によって酸化劣化すること等を防止する機能がある。また、封止部１４は空隙１８を充填し、透明基板１１の有機ＥＬ発光素子形成面１１ａが露出しないように形成されている。実施例１及び２において、封止部１４は、透光性を備えるエポキシ樹脂である。なお、封止部１４は、エポキシ樹脂以外にもシリコーン樹脂等の透光性を備える他の透明樹脂であってもよい。
【００３４】
また、封止部１４は、上述したような樹脂から構成されていることに限定されることはない。例えば、封止部１４は、複数の有機ＥＬ発光素子１２を全体的に覆うようなプラスチック等の透光性部材であってもよい。このような場合には、空隙１８は、封止部１４によって充填されることがない。なお、各発光素子間の空隙１８には、上述した封止部１４に用いる材料とは異なる、絶縁性の樹脂等からなる隔壁が形成されていてもよい。
【００３５】
実施例１及び２においては、ボトムエミッションタイプの有機ＥＬパネル３を用いたが、トップエミッションタイプの有機ＥＬパネルを用いてもよい。この場合には、複数の有機ＥＬ発光素子１２を支持する透明基板１１に代えて不透明な各種の支持基板を用いることができる。層構成は、陽極から陰極までをボトムエミッションタイプとは逆向きに形成すればよい。また、上述した実施例１及び２においては、有機ＥＬ発光素子１２ごとに発光色の異なる有機層１６が用いられていたが、全ての有機ＥＬ発光素子１２の有機層１６
が、赤色光用の発光材料、緑色光用の発光材料、及び青色光用の発光材料が均一に分散された高分子分散型のＥＬ材料から構成されてもよい。また、赤色光用の発光材料からなる層、緑色光用の発光材料からなる層、及び青色光用の発光材料からなる層を積層した積層型の有機ＥＬ発光素子を用いてもよいし、いずれか２色の発光材料を混合した層と残りの１色の発光材料からなる層との積層型の有機ＥＬ発光素子を用いてもよい。
【００３６】
上述したような有機ＥＬパネル３は薄型且つ軽量であるため、有機ＥＬパネル３を備える照明部２２（又は３２）も比較的に薄型且つ軽量となる。従って、結合部２５（又は３５）を介して表示部２１（又は３１）に容易に取り付けることができ、かつ、照明の非使用時にはコンパクトに収納が可能で、携帯に便利となる。
【産業上の利用可能性】
【００３７】
本発明に係る携帯用表示機器はバックライトの無い液晶や電子ペーパを用いた電子ブックなどであって、薄型、軽量の有機ＥＬ照明が結合されているため、携帯用表記機器の大きさや重量に大きな影響を与えずに暗所での視認を可能にし、使用形態を広げることができる。
【符号の説明】
【００３８】
３、２３、３３    有機ＥＬパネル
１１    透明基板
１２、１２Ｒ、１２Ｇ、１２Ｂ    有機ＥＬ発光素子
１３    光拡散部
１４    封止部
１５、１５Ｒ、１５Ｇ、１５Ｂ    陽極
１６、１６Ｒ、１６Ｇ、１６Ｂ    有機層
１７、１７Ｒ、１７Ｇ、１７Ｂ    陰極１
１８  空隙
２０、３０  携帯用表示機器
２１、３１  表示部
２２、３２  照明部
２４、２４ａ、２４ｂ、３４  支持部
２５、３５  結合部
２６、３６  表示面
【図１】
2014160137.tif 000003
【図２】
2014160137.tif 000004
【図３】
2014160137.tif 000005
【図４】
2014160137.tif 000006
【図５】
2014160137.tif 000007